(57)【要約】  ネットワークには、回線交換インフラを用いて動作できるものもあれば、第３世代パートナーシッププロジェクト（３ＧＰＰ）のロングタームエボリューション（ＬＴＥ）のためのインフラを用いて動作できるものもある。装置は、これらのネットワークの境界を越えて動作することができる。従って、このような装置及びネットワークは、リバース単一無線音声通話継続においてネットワーク共有の恩恵を受けることができる。例えば、方法が、ソースネットワークからターゲットネットワークへのユーザ装置のハンドオーバを要求するステップを含むことができる。この方法は、ハンドオーバを要求しながら、ソースネットワークに対応するネットワーク識別を提供するステップを含むこともできる。これとは別に又はこれに加えて、この方法は、ソースネットワークからターゲットネットワークへのユーザ装置のハンドオーバを要求するステップを含むこともできる。この方法は、以前に受け取ったネットワーク識別に基づいてターゲットネットワークを決定するステップを含むこともできる。【選択図】図１
2015513289.tif 000002
【特許請求の範囲】
【請求項１】
ソースネットワークからターゲットネットワークへのユーザ装置のハンドオーバを要求するステップと、
前記ハンドオーバを要求しながら、前記ソースネットワークに対応するネットワーク識別を提供するステップと、
を含むことを特徴とする方法。
【請求項２】
前記ソースネットワークはパケット交換ネットワークを含み、前記ターゲットネットワークは回線交換ネットワークを含む、
ことを特徴とする請求項１に記載の方法。
【請求項３】
前記ネットワーク識別は、現在使用中の公衆陸上移動体ネットワークの識別又はソース公衆陸上移動体ネットワーク識別子を含む、
ことを特徴とする請求項１又は２に記載の方法。
【請求項４】
前記ハンドオーバ要求は、前記ネットワーク識別を含む、パケット交換から回線交換へのハンドオーバ要求を含む、
ことを特徴とする請求項１から３のいずれか１項に記載の方法。
【請求項５】
前記ハンドオーバ要求は、パケット交換ネットワークから回線交換ネットワークへの単一無線音声通話継続要求を含む、
ことを特徴とする請求項１から４のいずれか１項に記載の方法。
【請求項６】
前記ハンドオーバを要求するステップは、モビリティ管理エンティティ又はサービング汎用パケット無線サービスサポートノードによって行われ、前記識別は、移動通信交換局に提供される、
ことを特徴とする請求項１から５のいずれか１項に記載の方法。
【請求項７】
前記ソースネットワークは回線交換ネットワークを含み、前記ターゲットネットワークは回線交換ネットワークを含む、
ことを特徴とする請求項１に記載の方法。
【請求項８】
前記ネットワーク識別は、使用されている回線交換公衆陸上移動体ネットワークの識別又はソース回線交換公衆陸上移動体ネットワーク識別子を含む、
ことを特徴とする請求項１又は７に記載の方法。
【請求項９】
前記ハンドオーバ要求は、前記ネットワーク識別を含む回線交換ハンドオーバ要求である、
ことを特徴とする請求項１、７又は８に記載の方法。
【請求項１０】
前記ハンドオーバ要求は、１つの回線交換無線アクセス技術から別の回線交換無線アクセス技術への、又は１つの回線交換ネットワークから別の回線交換ネットワークへの回線交換ハンドオーバ要求である、
ことを特徴とする請求項１、又は７から９のいずれか１項に記載の方法。
【請求項１１】
前記ハンドオーバは、前記ソースネットワークによって要求され、前記識別は、前記ターゲットネットワークに提供される、
ことを特徴とする請求項１、又は７から１０のいずれか１項に記載の方法。
【請求項１２】
ソースネットワークからターゲットネットワークへのユーザ装置のハンドオーバを要求するステップと、
以前に受け取ったネットワーク識別に基づいて前記ターゲットネットワークを決定するステップと、
を含むことを特徴とする方法。
【請求項１３】
前記ソースネットワークは回線交換ネットワークを含み、前記ターゲットネットワークはパケット交換ネットワークを含む、
ことを特徴とする請求項１２に記載の方法。
【請求項１４】
前記ネットワーク識別は、前記パケット交換ネットワークからのソース公衆陸上移動体ネットワーク識別、又はターゲット公衆陸上移動体ネットワーク識別子を含む、
ことを特徴とする請求項１２又は１３に記載の方法。
【請求項１５】
前記ハンドオーバ要求は、前記ネットワーク識別を含む、回線交換からパケット交換へのハンドオーバ要求である、
ことを特徴とする請求項１２から１４のいずれか１項に記載の方法。
【請求項１６】
前記ハンドオーバは、リバース単一無線音声通話継続ハンドオーバを含む、
ことを特徴とする請求項１２から１５のいずれか１項に記載の方法。
【請求項１７】
前記ハンドオーバ要求は、基地局コントローラ又は無線ネットワークコントローラから移動通信交換局に送信される、
ことを特徴とする請求項１２から１６のいずれか１項に記載の方法。
【請求項１８】
前記ネットワーク識別は、以前のパケット交換から回線交換へのハンドオーバ要求と共に受け取った、以前に使用したソースパケット交換公衆陸上移動体ネットワークのネットワーク識別である、
ことを特徴とする請求項１２から１７のいずれか１項に記載の方法。
【請求項１９】
ソースネットワークからターゲットネットワークへのユーザ装置のハンドオーバを要求するステップと、
前記ソースネットワークにおいて以前に受け取ったネットワーク識別を前記ターゲットネットワークに転送するステップと、
を含むことを特徴とする方法。
【請求項２０】
前記ソースネットワークは回線交換ネットワークを含み、前記ターゲットネットワークは回線交換ネットワークを含む、
ことを特徴とする請求項１９に記載の方法。
【請求項２１】
前記ハンドオーバ要求は、無線アクセス技術間ハンドオーバ要求又は無線アクセス技術内ハンドオーバ要求である、
ことを特徴とする請求項１９又は２０に記載の方法。
【請求項２２】
前記ハンドオーバ要求は、前記ネットワーク識別子を含む、
ことを特徴とする請求項１９から２１のいずれか１項に記載の方法。
【請求項２３】
前記ハンドオーバ要求は、ソース基地局コントローラ又はソース無線ネットワークコントローラから、ターゲット基地局コントローラ又はターゲット無線ネットワークコントローラに送信される、
ことを特徴とする請求項１９から２２のいずれか１項に記載の方法。
【請求項２４】
前記ネットワーク識別は、パケット交換ネットワークからのソース公衆陸上移動体ネットワーク識別を含み、該ソース公衆陸上移動体ネットワーク識別は、以前のパケット交換から回線交換へのハンドオーバ要求と共に受け取った、前記以前のソースパケット交換ネットワークのネットワーク識別又は前記以前のソースパケット交換ネットワークのネットワーク識別子である、
ことを特徴とする請求項１９から２３のいずれか１項に記載の方法。
【請求項２５】
前記ネットワーク識別は、回線交換ネットワークからのソース公衆陸上移動体ネットワーク識別を含み、該ソース公衆陸上移動体ネットワーク識別は、以前の回線交換から回線交換へのハンドオーバ要求と共に受け取った、前記以前のソース回線交換ネットワークのネットワーク識別又は前記以前のソース回線交換ネットワークのネットワーク識別子である、
ことを特徴とする請求項１９から２３のいずれか１項に記載の方法。
【請求項２６】
ソースネットワークからターゲットネットワークへのユーザ装置のハンドオーバ要求を受け取るステップと、
前記ソースネットワークに対応するネットワーク識別を前記ターゲットネットワークに転送するステップと、
を含むことを特徴とする方法。
【請求項２７】
前記ソースネットワークはパケット交換ネットワークを含み、前記ターゲットネットワークは回線交換ネットワークを含む、
ことを特徴とする請求項２６に記載の方法。
【請求項２８】
前記ネットワーク識別は、現在使用中のパケット交換公衆陸上移動体ネットワークの情報、又はソースパケット交換公衆陸上移動体ネットワーク識別子を含む、
ことを特徴とする請求項２６又は２７に記載の方法。
【請求項２９】
前記ハンドオーバ要求は、前記ネットワーク識別を含む、パケット交換から回線交換へのハンドオーバ要求を含む、
ことを特徴とする請求項２６から２８のいずれか１項に記載の方法。
【請求項３０】
前記ハンドオーバ要求は、単一無線音声通話継続ハンドオーバ要求を含む、
ことを特徴とする請求項２６から２９のいずれか１項に記載の方法。
【請求項３１】
前記ハンドオーバ要求は、モビリティ管理エンティティ又はサービング汎用パケット無線サービスサポートノードから受け取られ、基地局コントローラ又は無線ネットワークコントローラに転送される、
ことを特徴とする請求項２６から３０のいずれか１項に記載の方法。
【請求項３２】
ハードウェアで実行された時に請求項１から３１のいずれか１項に記載の方法を含む処理を行う命令を符号化された、
ことを特徴とする非一時的コンピュータ可読媒体。
【請求項３３】
少なくとも１つのプロセッサと、
コンピュータプログラムコードを含む少なくとも１つのメモリと、
を備えた装置であって、前記少なくとも１つのメモリ及び前記コンピュータプログラムコードは、前記少なくとも１つのプロセッサを用いて、前記装置に少なくとも、
ソースネットワークからターゲットネットワークへのユーザ装置のハンドオーバを要求することと、
前記ハンドオーバを要求しながら、前記ソースネットワークに対応するネットワーク識別を提供することと、
を行わせるように構成される、
ことを特徴とする装置。
【請求項３４】
前記ソースネットワークはパケット交換ネットワークを含み、前記ターゲットネットワークは回線交換ネットワークを含む、
ことを特徴とする請求項３３に記載の装置。
【請求項３５】
前記ネットワーク識別は、現在使用中の公衆陸上移動体ネットワークの識別又はソース公衆陸上移動体ネットワーク識別子を含む、
ことを特徴とする請求項３３又は３４に記載の装置。
【請求項３６】
前記ハンドオーバ要求は、前記ネットワーク識別を含む、パケット交換から回線交換へのハンドオーバ要求を含む、
ことを特徴とする請求項３３から３６のいずれか１項に記載の装置。
【請求項３７】
前記ハンドオーバ要求は、パケット交換ネットワークから回線交換ネットワークへの単一無線音声通話継続要求を含む、
ことを特徴とする請求項３３から３６のいずれか１項に記載の装置。
【請求項３８】
前記ハンドオーバの前記要求は、モビリティ管理エンティティ又はサービング汎用パケット無線サービスサポートノードによって行われ、前記識別は、移動通信交換局に提供される、
ことを特徴とする請求項３３から３７のいずれか１項に記載の装置。
【請求項３９】
前記ソースネットワークは回線交換ネットワークを含み、前記ターゲットネットワークは回線交換ネットワークを含む、
ことを特徴とする請求項３３に記載の装置。
【請求項４０】
前記ネットワーク識別は、使用されている回線交換公衆陸上移動体ネットワークの識別又はソース回線交換公衆陸上移動体ネットワーク識別子を含む、
ことを特徴とする請求項３３又は３９に記載の装置。
【請求項４１】
前記ハンドオーバ要求は、前記ネットワーク識別を含む回線交換ハンドオーバ要求である、
ことを特徴とする請求項３３、３９又は４０に記載の装置。
【請求項４２】
前記ハンドオーバ要求は、１つの回線交換無線アクセス技術から別の回線交換無線アクセス技術への、又は１つの回線交換ネットワークから別の回線交換ネットワークへの回線交換ハンドオーバ要求である、
ことを特徴とする請求項３３、又は３９から４１のいずれか１項に記載の装置。
【請求項４３】
前記ハンドオーバは、前記ソースネットワークによって要求され、前記識別は、前記ターゲットネットワークに提供される、
ことを特徴とする請求項３３、又は３９から４２のいずれか１項に記載の装置。
【請求項４４】
前記装置は、モビリティ管理エンティティ又は移動通信交換局を含む、
ことを特徴とする請求項３３から４３のいずれか１項に記載の装置。
【請求項４５】
少なくとも１つのプロセッサと、
コンピュータプログラムコードを含む少なくとも１つのメモリと、
を備えた装置であって、前記少なくとも１つのメモリ及び前記コンピュータプログラムコードは、前記少なくとも１つのプロセッサを用いて、前記装置に少なくとも、
ソースネットワークからターゲットネットワークへのユーザ装置のハンドオーバを要求することと、
以前に受け取ったネットワーク識別に基づいて前記ターゲットネットワークを決定することと、
を行わせるように構成される、
ことを特徴とする装置。
【請求項４６】
前記ソースネットワークは回線交換ネットワークを含み、前記ターゲットネットワークはパケット交換ネットワークを含む、
ことを特徴とする請求項４５に記載の装置。
【請求項４７】
前記ネットワーク識別は、前記パケット交換ネットワークからのソース公衆陸上移動体ネットワーク識別、又はターゲット公衆陸上移動体ネットワーク識別子を含む、
ことを特徴とする請求項４５又は４６に記載の装置。
【請求項４８】
前記ハンドオーバ要求は、前記ネットワーク識別を含む、回線交換からパケット交換へのハンドオーバ要求である、
ことを特徴とする請求項４５から４７のいずれか１項に記載の装置。
【請求項４９】
前記ハンドオーバは、リバース単一無線音声通話継続ハンドオーバを含む、
ことを特徴とする請求項４５から４８のいずれか１項に記載の装置。
【請求項５０】
前記ハンドオーバ要求は、基地局コントローラ又は無線ネットワークコントローラから移動通信交換局に送信される、
ことを特徴とする請求項４５から４９のいずれか１項に記載の装置。
【請求項５１】
前記ネットワーク識別は、以前のパケット交換から回線交換へのハンドオーバ要求と共に受け取った、以前に使用したソースパケット交換公衆陸上移動体ネットワークのネットワーク識別である、
ことを特徴とする請求項４５から５０のいずれか１項に記載の装置。
【請求項５２】
前記装置は、基地局コントローラ又は無線ネットワークコントローラを含む、
ことを特徴とする請求項４５から５１のいずれか１項に記載の装置。
【請求項５３】
少なくとも１つのプロセッサと、
コンピュータプログラムコードを含む少なくとも１つのメモリと、
を備えた装置であって、前記少なくとも１つのメモリ及び前記コンピュータプログラムコードは、前記少なくとも１つのプロセッサを用いて、前記装置に少なくとも、
ソースネットワークからターゲットネットワークへのユーザ装置のハンドオーバを要求することと、
前記ソースネットワークにおいて以前に受け取ったネットワーク識別を前記ターゲットネットワークに転送することと、
を行わせるように構成される、
ことを特徴とする装置。
【請求項５４】
前記ソースネットワークは回線交換ネットワークを含み、前記ターゲットネットワークは回線交換ネットワークを含む、
ことを特徴とする請求項５３に記載の装置。
【請求項５５】
前記ハンドオーバ要求は、無線アクセス技術間ハンドオーバ要求又は無線アクセス技術内ハンドオーバ要求である、
ことを特徴とする請求項５３又は５４に記載の装置。
【請求項５６】
前記ハンドオーバ要求は、前記ネットワーク識別子を含む、
ことを特徴とする請求項５３から５５のいずれか１項に記載の装置。
【請求項５７】
前記ハンドオーバ要求は、ソース基地局コントローラ又はソース無線ネットワークコントローラから、ターゲット基地局コントローラ又はターゲット無線ネットワークコントローラに送信される、
ことを特徴とする請求項５３から５６のいずれか１項に記載の装置。
【請求項５８】
前記ネットワーク識別は、パケット交換ネットワークからのソース公衆陸上移動体ネットワーク識別を含み、該ソース公衆陸上移動体ネットワーク識別は、以前のパケット交換から回線交換へのハンドオーバ要求と共に受け取った、前記以前のソースパケット交換ネットワークのネットワーク識別又は前記以前のソースパケット交換ネットワークのネットワーク識別子である、
ことを特徴とする請求項５３から５７のいずれか１項に記載の装置。
【請求項５９】
前記ネットワーク識別は、回線交換ネットワークからのソース公衆陸上移動体ネットワーク識別を含み、該ソース公衆陸上移動体ネットワーク識別は、以前の回線交換から回線交換へのハンドオーバ要求と共に受け取った、前記以前のソース回線交換ネットワークのネットワーク識別又は前記以前のソース回線交換ネットワークのネットワーク識別子である、
ことを特徴とする請求項５３から５７のいずれか１項に記載の装置。
【請求項６０】
前記装置は、基地局コントローラ、無線ネットワークコントローラ又は移動通信交換局を含む、
ことを特徴とする請求項５３から５９のいずれか１項に記載の装置。
【請求項６１】
少なくとも１つのプロセッサと、
コンピュータプログラムコードを含む少なくとも１つのメモリと、
を備えた装置であって、前記少なくとも１つのメモリ及び前記コンピュータプログラムコードは、前記少なくとも１つのプロセッサを用いて、前記装置に少なくとも、
ソースネットワークからターゲットネットワークへのユーザ装置のハンドオーバ要求を受け取ることと、
前記ソースネットワークに対応するネットワーク識別を前記ターゲットネットワークに転送することと、
を行わせるように構成される、
ことを特徴とする装置。
【請求項６２】
前記ソースネットワークはパケット交換ネットワークを含み、前記ターゲットネットワークは回線交換ネットワークを含む、
ことを特徴とする請求項６１に記載の装置。
【請求項６３】
前記ネットワーク識別は、現在使用中のパケット交換公衆陸上移動体ネットワークの情報、又はソースパケット交換公衆陸上移動体ネットワーク識別子を含む、
ことを特徴とする請求項６１又は６２に記載の装置。
【請求項６４】
前記ハンドオーバ要求は、前記ネットワーク識別を含む、パケット交換から回線交換へのハンドオーバ要求を含む、
ことを特徴とする請求項６１から６３のいずれか１項に記載の装置。
【請求項６５】
前記ハンドオーバ要求は、単一無線音声通話継続ハンドオーバ要求を含む、
ことを特徴とする請求項６１から６４のいずれか１項に記載の装置。
【請求項６６】
前記ハンドオーバ要求は、モビリティ管理エンティティ又はサービング汎用パケット無線サービスサポートノードから受け取られ、基地局コントローラ又は無線ネットワークコントローラに転送される、
ことを特徴とする請求項６１から６５のいずれか１項に記載の装置。
【請求項６７】
前記装置は、移動通信交換局を含む、
ことを特徴とする請求項６１から６６のいずれか１項に記載の装置。
【請求項６８】
少なくとも１つのプロセッサと、コンピュータプログラムコードを含む少なくとも１つのメモリとを備えた第１の装置であって、前記少なくとも１つのメモリ及び前記コンピュータプログラムコードが、前記少なくとも１つのプロセッサを用いて、前記第１の装置に少なくとも、第１のソースネットワークから第１のターゲットネットワークへのユーザ装置の第１のハンドオーバを要求することと、前記ハンドオーバを要求しながら、前記第１のソースネットワークに対応するネットワーク識別を提供することとを行わせるように構成された第１の装置と、
少なくとも１つのプロセッサと、コンピュータプログラムコードを含む少なくとも１つのメモリとを備えた第２の装置であって、前記少なくとも１つのメモリ及び前記コンピュータプログラムコードが、前記少なくとも１つのプロセッサを用いて、前記第２の装置に少なくとも、前記第１のターゲットネットワークに対応する第２のソースネットワークから第２のターゲットネットワークへの前記ユーザ装置のハンドオーバを要求することと、前記ソースネットワークにおいて前記第１の装置から以前に受け取った前記ネットワーク識別を前記ターゲットネットワークに転送することと、を行わせるように構成された第２の装置と、
少なくとも１つのプロセッサと、コンピュータプログラムコードを含む少なくとも１つのメモリとを備えた第３の装置であって、前記少なくとも１つのメモリ及び前記コンピュータプログラムコードが、前記少なくとも１つのプロセッサを用いて、前記第３の装置に少なくとも、前記第２のソースネットワークから前記第２のターゲットネットワークへの前記ユーザ装置の前記ハンドオーバ要求を前記第２の装置から受け取ることと、前記ソースネットワークに対応する前記ネットワーク識別を前記ターゲットネットワークに転送することと、を行わせるように構成された第３の装置と、
少なくとも１つのプロセッサと、コンピュータプログラムコードを含む少なくとも１つのメモリとを備えた第４の装置であって、前記少なくとも１つのメモリ及び前記コンピュータプログラムコードが、前記少なくとも１つのプロセッサを用いて、前記第４の装置に少なくとも、前記第２のターゲットネットワークに対応する第３のソースネットワークから第３のターゲットネットワークへの前記ユーザ装置のハンドオーバを要求することと、以前に受け取った前記ネットワーク識別に基づいて前記第３のターゲットネットワークを決定することと、を行わせるように構成された第４の装置と、
を備えることを特徴とするシステム。
【発明の詳細な説明】
【技術分野】
【０００１】
ネットワークには、回線交換インフラを用いて動作できるものもあれば、第３世代パートナーシッププロジェクト（３ＧＰＰ）のロングタームエボリューション（ＬＴＥ）のためのインフラを用いて動作できるものもある。装置は、これらのネットワークの境界を越えて動作することができる。従って、このような装置及びネットワークは、リバース単一無線音声通話継続（ｒｅｖｅｒｓｅ  ｓｉｎｇｌｅ  ｒａｄｉｏ  ｖｏｉｃｅ  ｃａｌｌ  ｃｏｎｔｉｎｕｉｔｙ）におけるネットワーク共有の恩恵を受けることができる。
【０００２】
また、ネットワークには、回線交換インフラ用いてそれ自体が複数のオペレータと共に動作できるものもある。装置は、これらのネットワーク内で複数のオペレータのカバーエリアの境界を越えて動作することができる。従って、このような装置及びネットワークは、オペレータのカバーエリア間で音声通話継続を維持しながらネットワーク共有の恩恵を受けることができる。
【背景技術】
【０００３】
３ＧＰＰは、リリース８（Ｒｅｌ  ８）において、ＬＴＥから第２又は第３世代（２／３Ｇ）回線交換（ＣＳ）への単一無線音声通話継続（ＳＲＶＣＣ）について規定した。ＳＲＶＣＣとは、継続のための手順を意味することができ、このような手順を用いた動作を表すために使用することもできる。３ＧＰＰは、Ｒｅｌ  １１において、２／３Ｇ  ＣＳからＬＴＥパケット交換（ＰＳ）への方向のＳＲＶＣＣ、すなわちリバースＳＲＶＣＣ（ｒＳＲＶＣＣ）について規定した。ＬＴＥから２／３Ｇ  ＣＳへのハンドオーバターゲットを選択する動作を用いたネットワーク共有については３ＧＰＰ技術仕様書（ＴＳ）２３．２５１に記載されており、この文献はその全体が引用により本明細書に組み入れられる。しかしながら、３ＧＰＰでは、ＣＳドメインからＬＴＥにハンドオーバを行うためのネットワーク共有動作については定義していない。
【０００４】
ＣＳドメインから別のＣＳドメインにハンドオーバを行うためのネットワーク共有動作については、３ＧＰＰ  ＴＳ  ２３．２５１に記載されている。
【先行技術文献】
【非特許文献】
【０００５】
【非特許文献１】３ＧＰＰ  ＴＳ  ２３．２５１
【発明の概要】
【課題を解決するための手段】
【０００６】
第１の実施形態によれば、方法が、ソースネットワークからターゲットネットワークへのユーザ装置のハンドオーバを要求するステップを含むことができる。この方法は、ハンドオーバを要求しながら、ソースネットワークに対応するネットワーク識別を提供するステップを含むこともできる。
【０００７】
第１の実施形態では、ソースネットワークをパケット交換ネットワークとすることができ、ターゲットネットワークを回線交換ネットワークとすることができる。
【０００８】
第１の実施形態では、ネットワーク識別を、現在使用中の公衆陸上移動体ネットワークの識別（例えば、呼又はセッションが最初に確立された時に使用される又はパケット交換からパケット交換へのハンドオーバ後に使用される公衆陸上移動体ネットワークの識別）、又はソース公衆陸上移動体ネットワーク識別子とすることができる。
【０００９】
第１の実施形態によれば、ハンドオーバ要求を、ネットワーク識別を含む、パケット交換から回線交換へのハンドオーバ要求とすることができる。
【００１０】
第１の実施形態によれば、ハンドオーバ要求を、パケット交換ネットワークから回線交換ネットワークへの単一無線音声通話継続要求とすることができる。
【００１１】
第１の実施形態では、ハンドオーバを要求するステップを、モビリティ管理エンティティ又はサービング汎用パケット無線サービスサポートノードが行うことができ、識別を移動通信交換局に提供することができる。
【００１２】
第１の実施形態の変形例では、ソースネットワークを回線交換ネットワークとすることができ、ターゲットネットワークも回線交換ネットワークとすることができる。
【００１３】
第１の実施形態の変形例によれば、ネットワーク識別が、使用されている回線交換公衆陸上移動体ネットワークの識別（例えば、通話が最初に確立された時に使用される又はパケット交換からパケット交換へのハンドオーバ後に使用される公衆陸上移動体ネットワークの識別）、又はソース回線交換公衆陸上移動体ネットワーク識別子を含むことができる。
【００１４】
第１の実施形態の変形例では、ハンドオーバ要求を、ネットワーク識別を含む回線交換ハンドオーバ要求とすることができる。
【００１５】
第１の実施形態の変形例によれば、ハンドオーバ要求を、１つの回線交換無線アクセス技術から別の回線交換無線アクセス技術への、又は１つの回線交換ネットワークから別の回線交換ネットワークへの回線交換ハンドオーバ要求とすることができる。
【００１６】
第１の実施形態の変形例によれば、ソースネットワークがハンドオーバを要求することができ、ターゲットネットワークに識別を提供することができる。
【００１７】
第２の実施形態では、方法が、ソースネットワークからターゲットネットワークへのユーザ装置のハンドオーバを要求するステップを含むことができる。この方法は、以前に受け取ったネットワーク識別に基づいてターゲットネットワークを決定するステップを含むこともできる。
【００１８】
第２の実施形態では、ソースネットワークを回線交換ネットワークとすることができ、ターゲットネットワークをパケット交換ネットワークとすることができる。
【００１９】
第２の実施形態によれば、ネットワーク識別は、パケット交換ネットワークからの（例えば、パケット交換ネットワークから受け取った）ソース公衆陸上移動体ネットワーク識別、又はターゲット公衆陸上移動体ネットワーク識別子を含むことができる。
【００２０】
第２の実施形態では、ハンドオーバ要求を、ネットワーク識別を含む、回線交換からパケット交換へのハンドオーバ要求とすることができる。
【００２１】
第２の実施形態では、ハンドオーバを、リバース単一無線音声通話継続ハンドオーバとすることができる。
【００２２】
第２の実施形態によれば、ハンドオーバ要求を、基地局コントローラ又は無線ネットワークコントローラから移動通信交換局に送信することができる。
【００２３】
第２の実施形態では、ネットワーク識別を、以前のパケット交換から回線交換へのハンドオーバ要求と共に受け取った可能性のある、以前に使用したソースパケット交換公衆陸上移動体ネットワークのネットワーク識別とすることができる。
【００２４】
第３の実施形態によれば、方法が、ソースネットワークからターゲットネットワークへのユーザ装置のハンドオーバを要求するステップを含むことができる。この方法は、ソースネットワークにおいて以前に受け取ったネットワーク識別をターゲットネットワークに転送するステップを含むこともできる。
【００２５】
第３の実施形態では、ソースネットワークを回線交換ネットワークとすることができ、ターゲットネットワークも回線交換ネットワークとすることができる。
【００２６】
第３の実施形態によれば、ハンドオーバ要求を、無線アクセス技術間ハンドオーバ要求又は無線アクセス技術内ハンドオーバ要求とすることができる。
【００２７】
第３の実施形態では、ハンドオーバ要求が、ネットワーク識別子を含むことができる。
【００２８】
第３の実施形態によれば、ハンドオーバ要求を、ソース基地局コントローラ又はソース無線ネットワークコントローラから、ターゲット基地局コントローラ又はターゲット無線ネットワークコントローラに送信することができる。
【００２９】
第３の実施形態では、ネットワーク識別を、パケット交換ネットワークからのソース公衆陸上移動体ネットワーク識別とすることができ、このネットワーク識別は、以前のパケット交換から回線交換へのハンドオーバ要求と共に受け取った可能性のある、以前のソースパケット交換ネットワークのネットワーク識別又は以前のソースパケット交換ネットワークのネットワーク識別子とすることができる。
【００３０】
第３の実施形態によれば、ネットワーク識別を、回線交換ネットワークからのソース公衆陸上移動体ネットワーク識別とすることができ、このネットワーク識別は、以前の回線交換から回線交換へのハンドオーバ要求と共に受け取った可能性のある、以前のソース回線交換ネットワークのネットワーク識別又は以前のソース回線交換ネットワークのネットワーク識別子とすることができる。
【００３１】
第４の実施形態では、方法が、ソースネットワークからターゲットネットワークへのユーザ装置のハンドオーバ要求を受け取るステップを含むことができる。この方法は、ソースネットワークに対応するネットワーク識別をターゲットネットワークに転送するステップを含むこともできる。
【００３２】
第４の実施形態では、ソースネットワークをパケット交換ネットワークとすることができ、ターゲットネットワークを回線交換ネットワークとすることができる。
【００３３】
第４の実施形態によれば、ネットワーク識別が、現在使用中のパケット交換公衆陸上移動体ネットワークの情報、又はソースパケット交換公衆陸上移動体ネットワーク識別子を含むことができる。
【００３４】
第４の実施形態では、ハンドオーバ要求を、ネットワーク識別を含む、パケット交換から回線交換へのハンドオーバ要求とすることができる。
【００３５】
第４の実施形態によれば、ハンドオーバ要求を、リバース単一無線音声通話継続ハンドオーバ要求とすることができる。
【００３６】
第４の実施形態では、ハンドオーバ要求を、モビリティ管理エンティティ又はサービング汎用パケット無線サービスサポートノードから受け取って、基地局コントローラ又は無線ネットワークコントローラに転送することができる。
【００３７】
第５の実施形態では、非一時的コンピュータ可読媒体に、ハードウェアで実行された時に処理を行う命令を符号化する。この処理は、ソースネットワークからターゲットネットワークへのユーザ装置のハンドオーバを要求するステップを含むことができる。この処理は、ハンドオーバを要求しながら、ソースネットワークに対応するネットワーク識別を提供するステップを含むこともできる。この処理は、上述した第１の実施形態の方法の全ての変形例を含むこともできる。
【００３８】
第６の実施形態によれば、非一時的コンピュータ可読媒体に、ハードウェアで実行された時に処理を行う命令を符号化する。この処理は、ソースネットワークからターゲットネットワークへのユーザ装置のハンドオーバを要求するステップを含むことができる。この処理は、以前に受け取ったネットワーク識別に基づいてターゲットネットワークを決定するステップを含むこともできる。この処理は、上述した第２の実施形態の方法の全ての変形例を含むこともできる。
【００３９】
第７の実施形態では、非一時的コンピュータ可読媒体に、ハードウェアで実行された時に処理を行う命令を符号化する。この処理は、ソースネットワークからターゲットネットワークへのユーザ装置のハンドオーバを要求するステップを含むことができる。この処理は、ソースネットワークにおいて以前に受け取ったネットワーク識別をターゲットネットワークに転送するステップを含むこともできる。この処理は、上述した第３の実施形態の方法の全ての変形例を含むこともできる。
【００４０】
第８の実施形態によれば、非一時的コンピュータ可読媒体に、ハードウェアで実行された時に処理を行う命令を符号化する。この処理は、ソースネットワークからターゲットネットワークへのユーザ装置のハンドオーバ要求を受け取るステップを含むことができる。この処理は、ソースネットワークに対応するネットワーク識別をターゲットネットワークに転送するステップを含むこともできる。この処理は、上述した第４の実施形態の方法の全ての変形例を含むこともできる。
【００４１】
第９の実施形態では、装置が、少なくとも１つのプロセッサと、コンピュータプログラムコードを含む少なくとも１つのメモリとを備えることができる。少なくとも１つのメモリ及びコンピュータプログラムコードは、少なくとも１つのプロセッサを用いて、装置に少なくとも、ソースネットワークからターゲットネットワークへのユーザ装置のハンドオーバを要求することを行わせるように構成することができる。少なくとも１つのメモリ及びコンピュータプログラムコードは、少なくとも１つのプロセッサを用いて、装置に少なくとも、ハンドオーバを要求しながら、ソースネットワークに対応するネットワーク識別を提供することを行わせるように構成することもできる。この装置は、上述した第１の実施形態の方法の全ての変形例を実行するように構成することができる。
【００４２】
第９の実施形態では、装置をモビリティ管理エンティティ又は移動通信交換局とすることができる。
【００４３】
第１０の実施形態によれば、装置が、少なくとも１つのプロセッサと、コンピュータプログラムコードを含む少なくとも１つのメモリとを備えることができる。少なくとも１つのメモリ及びコンピュータプログラムコードは、少なくとも１つのプロセッサを用いて、装置に少なくとも、ソースネットワークからターゲットネットワークへのユーザ装置のハンドオーバを要求することを行わせるように構成することができる。少なくとも１つのメモリ及びコンピュータプログラムコードは、少なくとも１つのプロセッサを用いて、装置に少なくとも、以前に受け取ったネットワーク識別に基づいてターゲットネットワークを決定することを行わせるように構成することもできる。この装置は、上述した第２の実施形態の方法の全ての変形例を実行するように構成することができる。
【００４４】
第１０の実施形態では、装置を基地局コントローラ又は無線ネットワークコントローラとすることができる。
【００４５】
第１１の実施形態では、装置が、少なくとも１つのプロセッサと、コンピュータプログラムコードを含む少なくとも１つのメモリとを備えることができる。少なくとも１つのメモリ及びコンピュータプログラムコードは、少なくとも１つのプロセッサを用いて、装置に少なくとも、ソースネットワークからターゲットネットワークへのユーザ装置のハンドオーバを要求することを行わせるように構成することができる。少なくとも１つのメモリ及びコンピュータプログラムコードは、少なくとも１つのプロセッサを用いて、装置に少なくとも、ソースネットワークにおいて以前に受け取ったネットワーク識別をターゲットネットワークに転送することを行わせるように構成することもできる。この装置は、上述した第３の実施形態の方法の全ての変形例を実行するように構成することができる。
【００４６】
第１１の実施形態によれば、装置を、基地局コントローラ、無線ネットワークコントローラ又は移動通信交換局とすることができる。
【００４７】
第１２の実施形態によれば、装置が、少なくとも１つのプロセッサと、コンピュータプログラムコードを含む少なくとも１つのメモリとを備えることができる。少なくとも１つのメモリ及びコンピュータプログラムコードは、少なくとも１つのプロセッサを用いて、装置に少なくとも、ソースネットワークからターゲットネットワークへのユーザ装置のハンドオーバ要求を受け取ることを行わせるように構成することができる。少なくとも１つのメモリ及びコンピュータプログラムコードは、少なくとも１つのプロセッサを用いて、装置に少なくとも、ソースネットワークに対応するネットワーク識別をターゲットネットワークに転送することを行わせるように構成することもできる。この装置は、上述した第４の実施形態の方法の全ての変形例を実行するように構成することができる。
【００４８】
いくつかの実施形態によれば、装置が移動通信交換局を含むことができる。
【００４９】
第１３の実施形態では、装置が、ソースネットワークからターゲットネットワークへのユーザ装置のハンドオーバを要求するための要求手段を含むことができる。装置は、ハンドオーバを要求しながら、ソースネットワークに対応するネットワーク識別を提供するための提供手段を含むこともできる。この装置は、上述した第１の実施形態の方法の全ての変形例を実行するための手段を含むこともできる。
【００５０】
第１４の実施形態によれば、装置が、ソースネットワークからターゲットネットワークへのユーザ装置のハンドオーバを要求するための要求手段を含むことができる。装置は、以前に受け取ったネットワーク識別に基づいてターゲットネットワークを決定するための決定手段を含むこともできる。この装置は、上述した第２の実施形態の方法の全ての変形例を実行するための手段を含むこともできる。
【００５１】
第１５の実施形態では、装置が、ソースネットワークからターゲットネットワークへのユーザ装置のハンドオーバを要求するための要求手段を含むことができる。装置は、ソースネットワークにおいて以前に受け取ったネットワーク識別をターゲットネットワークに転送するための転送手段を含むこともできる。この装置は、上述した第３の実施形態の方法の全ての変形例を実行するための手段を含むこともできる。
【００５２】
第１６の実施形態によれば、装置が、ソースネットワークからターゲットネットワークへのユーザ装置のハンドオーバ要求を受け取るための受信手段を含むことができる。装置は、ソースネットワークに対応するネットワーク識別をターゲットネットワークに転送するための転送手段を含むこともできる。この装置は、上述した第４の実施形態の方法の全ての変形例を実行するための手段を含むこともできる。
【００５３】
第１７の実施形態では、システムが、少なくとも１つのプロセッサと、コンピュータプログラムコードを含む少なくとも１つのメモリとを備えた第１の装置を含み、少なくとも１つのメモリ及びコンピュータプログラムコードは、少なくとも１つのプロセッサを用いて、第１の装置に少なくとも、第１のソースネットワークから第１のターゲットネットワークへのユーザ装置の第１のハンドオーバを要求することと、ハンドオーバを要求しながら、第１のソースネットワークに対応するネットワーク識別を提供することとを行わせるように構成される。このシステムは、少なくとも１つのプロセッサと、コンピュータプログラムコードを含む少なくとも１つのメモリとを備えた第２の装置も含み、少なくとも１つのメモリ及びコンピュータプログラムコードは、少なくとも１つのプロセッサを用いて、第２の装置に少なくとも、第１のターゲットネットワークに対応する第２のソースネットワークから第２のターゲットネットワークへのユーザ装置のハンドオーバを要求することと、ソースネットワークにおいて第１の装置から以前に受け取ったネットワーク識別をターゲットネットワークに転送することと、を行わせるように構成される。このシステムは、少なくとも１つのプロセッサと、コンピュータプログラムコードを含む少なくとも１つのメモリとを備えた第３の装置をさらに含み、少なくとも１つのメモリ及びコンピュータプログラムコードは、少なくとも１つのプロセッサを用いて、第３の装置に少なくとも、第２のソースネットワークから第２のターゲットネットワークへのユーザ装置のハンドオーバ要求を第２の装置から受け取ることと、ソースネットワークに対応するネットワーク識別をターゲットネットワークに転送することとを行わせるように構成される。このシステムは、少なくとも１つのプロセッサと、コンピュータプログラムコードを含む少なくとも１つのメモリとを備えた第４の装置をさらに含み、少なくとも１つのメモリ及びコンピュータプログラムコードは、少なくとも１つのプロセッサを用いて、第４の装置に少なくとも、第２のターゲットネットワークに対応する第３のソースネットワークから第３のターゲットネットワークへのユーザ装置のハンドオーバを要求することと、以前に受け取ったネットワーク識別に基づいて第３のターゲットネットワークを決定することとを行わせるように構成される。
【００５４】
第１３の実施形態のシステムにおける第１、第２、第３及び第４の装置は、上述した第１、第２、第３及び第４の実施形態の方法の全ての変形例を実行するように構成することができる。
【００５５】
本発明を正しく理解できるように、以下の添付図面を参照されたい。
【図面の簡単な説明】
【００５６】
【図１】考えられるネットワーク共有シナリオを示す図である。
【図２】いくつかの実施形態による、２つのロングタームエボリューション移動体ネットワークによる回線交換公衆陸上移動体ネットワークの共有を示す図である。
【図３Ａ】いくつかの実施形態による信号フローを示す図である。
【図３Ｂ】いくつかの実施形態による信号フローを示す図である。
【図４】いくつかの実施形態による方法を示す図である。
【図５Ａ】いくつかの実施形態によるシステムを示す図である。
【図５Ｂ】いくつかの実施形態によるシステムを示す図である。
【発明を実施するための形態】
【００５７】
図１に、考えられるネットワーク共有シナリオを示す。この共有シナリオでは、回線交換（ＣＳ）ドメイン１１０を、移動体オペレータコアネットワーク（ＭＯＣＮ）共有モデル（図１の左下側）及びゲートウェイコアネットワーク（ＧＷＣＮ）共有モデル（図１の右下側）で構成することができる。ロングタームエボリューション（ＬＴＥ）側１２０でも同様にネットワークを構成することができ、図１の左上にＭＯＣＮを示し、図１の右上にＧＷＣＮモデルを示している。ＬＴＥとＣＳドメインの間の接続は、３ＧＰＰで定義するＳｖインターフェイスとすることができる。
【００５８】
より具体的には、図１には、それぞれＣＮオペレータＡ  １１１ａ、ＣＮオペレータ  Ｂ  １１１ｂ及びＣＮオペレータ  Ｃ  １１１ｃとする複数のＣＮオペレータを示している。この図には、共有ＭＳＣ／ＳＧＳＮ  １１２ａ、１１２ｂ及び１１２ｃも示している。この図には、オペレータＸ  １１３に属する無線アクセスネットワーク（ＲＡＮ）もさらに示している。ＲＡＮ内には、１又はそれ以上の無線ネットワークコントローラ（ＲＮＣ）１１４を見出すことができる。これらは全て、ＣＳドメイン側１１０で見出すことができる。
【００５９】
パケット交換ドメイン側１２０には、セル１２３及びユーザ装置１２４にサービスを提供しているｅＮｏｄｅ  Ｂ（ｅＮＢ）１２２に接続された進化型パケットコア要素１２１を示している。オペレータネットワーク１２５は、特にＳ−ＧＷ１２６及びＭＭＥ１２７などの要素を含むことができる。
【００６０】
上述したように、３ＧＰＰでは、ＣＳドメインからＬＴＥへのネットワーク共有動作については定義していない。特に、図２に示すシナリオには従来対応していない。
【００６１】
図２には、いくつかの実施形態による、２つのロングタームエボリューション移動体ネットワークによる回線交換公衆陸上移動体ネットワークの共有を示す。より具体的には、図２には、サービングエリアが、ＬＴＥ−ＰＬＭＮ  Ａ  ２１０及びＬＴＥ−ＰＬＭＮ  Ｂ  ２２０という２つのＬＴＥ  ＰＬＭＮを含むことができ、これらの両方が、単一無線音声通話継続（ＳＲＶＣＣ）のためにＰＬＭＮ−ＣＳ  ２３０という同じＣＳを使用できることを示している。この図は、２つのグリーンフィールドＬＴＥオペレータがＳＲＶＣＣのためにサードパーティのＣＳドメイン上で中継を行っているものと見なすことができる。図２の上部にはベン図で共有を示しており、下部にはネットワーク接続図を示している。
【００６２】
２つのＬＴＥネットワーク２１０及び２２０は、それぞれのＭＭＥ２１１及び２２１、それぞれのＥ−ＵＴＲＡＮ２１２及び２２２、それぞれのＳ−ＧＷ２１３及び２２３、それぞれのＰＧＷ２１４及び２２４、並びにそれぞれのＩＭＳ２１５及び２２５を含むことができる。ＰＬＭＮ−ＣＳ（ＭＳＳ）２３０に接続されたＣＳ  ＲＡＮ／ＢＳＳ２３５も示している。
【００６３】
１つの例では、ユーザ装置（ＵＥ）が、ＰＬＭＮ−Ａとのインターネットプロトコル（ＩＰ）マルチメディアサブシステム（ＩＭＳ）音声セッション、及びＰＬＭＮ−ＣＳへのＳＲＶＣＣを開始することができる。ソース進化型ユニバーサル地上波無線アクセスネットワーク（Ｅ−ＵＴＲＡＮ）は、「ターゲットＣＳ  ＰＬＭＮ」を選択し、この選択した「ターゲットＣＳ  ＰＬＭＮ」をメッセージに含め、Ｓｖを介してＰＬＭＮ−ＣＳのＭＳＳに送信してターゲットリソース処理を行わせることができる。この呼が戻され、ｒＳＲＶＣＣを用いてＣＳからＬＴＥに戻ると、例えばＢＴＳ又はＮｏｄｅＢなどのＣＳ無線ノードは、現在使用中のＰＬＭＮに基づいてターゲットＬＴＥ  ＰＬＭＮを選択することができる。このＬＴＥ  ＰＬＭＮは、選択された「ＣＳ  ＰＬＭＮ」のままとすることができる。この「ＣＳ  ＰＬＭＮ」が、ＬＴＥ−ＰＬＭＮ−Ａ又はＬＴＥ−ＰＬＭＮ−Ｂのいずれかに対してｒＳＲＶＣＣを実行することができる。
【００６４】
例えば、無線ノードはＬＴＥ−ＰＬＭＮ−Ｂを使用すると決めたものの、ＬＴＥ−ＰＬＭＮ−Ｂ及びＬＴＥ−ＰＬＭＮ−Ａがローミング協定を有していない場合のように、不適切なＬＴＥ−ＰＬＭＮが選択された場合、ｒＳＲＶＣＣは不成功に終わることがある。この理由は、ＰＬＭＮ−Ｂ内のサービングゲートウェイ（Ｓ−ＧＷ）が、ＰＬＭＮ−Ａ内のプロキシゲートウェイ（Ｐ−ＧＷ）との間にＳ５接続を確立できず、或いはＰＬＭＮ−Ｂ内のＭＭＥが、ＰＬＭＮ−Ａ内のＭＭＥとの間にＳ１０接続を確立できないからと考えられる。図２には、Ｓ５及びＳ１０接続を破線で示している。換言すれば、この例においてｒＳＲＶＣＣが機能するには、ｒＳＲＶＣＣの前に確立されたＰ−ＧＷが、ｒＳＲＶＣＣの後にもアンカーポイントでなければならず、新たなＭＭＥ（Ｂ）が、古いＭＭＥ（Ａ）からユーザ装置（ＵＥ）のパケット交換ユーザ情報を回収できなければならない。
【００６５】
さらに、たとえＬＴＥ−ＰＬＭＮ−Ａ及びＬＴＥ−ＰＬＭＮ−Ｂがローミング協定を有しているという理由でｒＳＲＶＣＣに成功したとしても、ＬＴＥ−ＰＬＭＮ−Ａにおいて呼を直接処理できた場合には、ローミングＳ５が無駄に確立されるようになる。これにより、さらなるＰＬＭＮが関与するので、不必要なローミング料金も生じるようになる。
【００６６】
いくつかの実施形態では、例えばＢＴＳ又はＮｏｄｅＢなどの無線ノードがターゲットＬＴＥの選択においてどちらのＰＬＭＮ（Ａ又はＢ）を使用すべきかを決定できる方法を提供する。図３Ａに、いくつかの実施形態による信号フローを示す。
【００６７】
図３Ａに示すように、Ｂ１において、呼がＬＴＥからＣＳへの最初のＳＲＶＣＣである場合、Ｂ２において、ソースＬＴＥ  ＰＬＭＮ−ＩＤをＰＳからＣＳへのハンドオーバ要求メッセージに含め、Ｓｖインターフェイスを介してＭＳＳに送信することができる。
【００６８】
Ｂ３において、ＣＳ  ＰＬＭＮがｒＳＲＶＣＣをサポートしている場合、ＭＳＳは、この「ソースＬＴＥ  ＰＬＭＮ−ＩＤ」をターゲットＢＳＳ／ＲＡＮに示すこともできる。さらに、Ｂ４及びＢ５において、ＳＲＶＣＣ手順の残りを実行することができ、この時点で、ＵＥは、ＣＳ  ＲＡＴによってサービスを受けることができる。この音声通話は、ＣＳドメインで継続することができる。
【００６９】
ＣＳ  ＲＡＴ間／内ハンドオーバが存在する場合、ソースＢＳＳ／ＲＡＮが、「ソースＬＴＥ  ＰＬＭＮ−ＩＤ」をターゲットＢＳＳ／ＲＡＮに転送することができる。これについては、図３Ａには示していない。
【００７０】
Ｂ６において、現在のサービングＣＳ  ＲＡＴは、ｒＳＲＶＣＣターゲットの選択を行う必要がある場合、ターゲットＬＴＥを選択するための入力の１つとして「ソースＬＴＥ  ＰＬＭＮ−ＩＤ」を用いて、選択したＰＬＭＮが呼を途切れさせないことを確実にすることができる。従って、現在のサービングＣＳ  ＲＡＴは、ソースＬＴＥ  ＰＬＭＮ−ＩＤに属するＬＴＥセルを選択することができる。或いは、現在のサービングＣＳ  ＲＡＴは、次の選択肢としてソースＬＴＥ  ＰＬＭＮのローミングパートナーを選択することもできる。ＵＥ測定のための隣接セルリストも、この「ソースＬＴＥ  ＰＬＭＮ−ＩＤ」に基づくことができる。
【００７１】
Ｂ７において、ソースＢＳＳ／ＲＡＮは、選択したターゲットＬＴＥ  ＰＬＭＮをＭＳＳに戻して通常のｒＳＲＶＣＣ手順を継続することができる。
【００７２】
従って、いくつかの実施形態では、ＲＡＴ  ＣＳ間／内ハンドオーバ中に、ＣＳ  ＰＬＭＮにソースＬＴＥ  ＰＬＭＮ  ＩＤを与え、これをＣＳ  ＰＬＭＮ内でソースからターゲットに転送することができる。
【００７３】
いくつかの実施形態の別の態様では、ＭＳＳが、さらなる新たなＣＳ呼のためのソースＬＴＥ  ＰＬＭＮ  ＩＤを記憶することができる。この記憶されたソースＬＴＥ  ＰＬＭＮ  ＩＤが受け取られた場合、次のＳＲＶＣＣ手順においてＳｖインターフェイスから更新することができる。
【００７４】
図２の説明図では、２つのＬＴＥ  ＰＬＭＮで１つのＣＳ  ＰＬＭＮを使用しているが、複数のオペレータが共有する回線交換公衆陸上移動体ネットワークにも同じ方法を適用することができる。
【００７５】
１つの例では、ユーザ装置（ＵＥ）が、ＰＬＭＮ−ＡとのＣＳ呼を開始してターゲットＰＬＭＮ−ＣＳにハンドオーバされることがある。ソースＢＴＳ／ＮｏｄｅＢは、「ターゲットＣＳ  ＰＬＭＮ」を選択し、この選択した「ターゲットＣＳ  ＰＬＭＮ」を、例えばＩｕ−ｃｓ／Ａなどの、ＢＳＳ／ＲＡＮからＭＳＳへの通常のシグナリングを介したＰＬＭＮ−ＣＳのＭＳＳへのメッセージに含めてターゲットリソースを処理させることができる。この呼が戻され、通常のＣＳハンドオーバを用いてＰＬＭＮ−ＣＳからＰＬＭＮ−Ａに戻ると、例えばＢＴＳ又はＮｏｄｅＢなどのＣＳ無線ノードは、現在使用中のＰＬＭＮに基づいてターゲットＣＳ  ＰＬＭＮを選択することができる。このＣＳ  ＰＬＭＮは、選択されたＰＬＭＮ−Ａのままとすることも、又は他のＰＬＭＮ−ｘとすることもできる。
【００７６】
不適切なＰＬＭＮ−ｘが選択された場合、ＰＬＭＮ−ＡとＰＬＭＮ−ｘの間にさらなるローミング区間が確立され、これによりさらなるＰＬＭＮが関与するので、不必要なローミング料金が生じるようになる。
【００７７】
図３Ｂに、いくつかの実施形態による信号フローを示す。
【００７８】
図３Ｂに示すように、Ｃ１において、呼が最初にＣＳハンドオーバを行っている時に、通常のＢＳＳ／ＲＡＮ−ＭＳＳシグナリングを介してソースＣＳ  ＰＬＭＮ  ＡをＭＳＳに送信することができる。
【００７９】
Ｃ２及びＣ３において、アンカーＭＳＳは、ターゲットＭＳＣを介して、この「ソースＣＳ  ＰＬＭＮ  Ａ」をターゲットＢＳＳ／ＲＡＮに示すことができる。さらに、Ｃ４及びＣ５において、ＣＳハンドオーバ手順の残りを実行することができ、この時点で、ＵＥは、ターゲットＣＳ  ＲＡＴによってサービス受けることができる。この音声通話は、ＣＳドメインで継続することができる。
【００８０】
ＣＳ  ＲＡＴ間／内ハンドオーバが存在する場合、ソースＢＳＳ／ＲＡＮが、「ソースＣＳ  ＰＬＭＮ  Ａ」をターゲットＢＳＳ／ＲＡＮに転送することができる。これについては、図３Ｂには示していない。
【００８１】
Ｃ６において、現在のサービングＣＳ  ＲＡＴは、ＣＳハンドオーバターゲットの選択を行うことができる場合、ターゲットＣＳを選択するための入力の１つとして「ソースＰＬＭＮ  Ａ」を用いて、選択したＰＬＭＮが最適な方法をもたらし、例えばあらゆる余計なローミング区間の確立を確実に避けるようにすることができる。従って、現在のサービングＣＳ  ＲＡＴは、ソースＣＳ  ＰＬＭＮ  Ａに属するターゲットＣＳセルを選択することができる。或いは、現在のサービングＣＳ  ＲＡＴは、次の選択肢としてソースＣＳ  ＰＬＭＮのローミングパートナーを選択することもできる。ＵＥ測定のための隣接セルリストも、この「ソースＣＳ  ＰＬＭＮ  Ａ」に基づくことができる。
【００８２】
Ｃ７において、ソースＢＳＳ／ＲＡＮは、選択したターゲットＣＳ  ＰＬＭＮをアンカーＭＳＳに戻して通常のＣＳ  ＨＯ手順を継続することができる。
【００８３】
従って、いくつかの実施形態では、ＲＡＴ  ＣＳ内／間ハンドオーバ中に、ターゲットＣＳ  ＰＬＭＮにソースＣＳ  ＰＬＭＮ  ＩＤを与え、これをターゲットＣＳ  ＰＬＭＮ内でソースからターゲットに転送することができる。
【００８４】
図４に、いくつかの実施形態による方法を示す。図４に示すように、この方法は、４１０において、ソースネットワークからターゲットネットワークへのユーザ装置のハンドオーバを要求するステップを含むことができる。この方法は、４１５において、ハンドオーバを要求しながら、ソースネットワークに対応するネットワーク識別を提供するステップを含むこともできる。
【００８５】
ソースネットワークは、パケット交換又は回線交換ネットワークとすることができ、ターゲットネットワークは、回線交換ネットワークとすることができる。ネットワーク識別は、現在使用中の公衆陸上移動体ネットワーク（例えば、呼又はセッションが最初に確立された時に使用される公衆陸上移動体ネットワーク）の識別、又はソース公衆陸上移動体ネットワーク識別子を含むことができる。ハンドオーバ要求は、ネットワーク識別を含む、パケット交換から回線交換への又は回線交換から回線交換へのハンドオーバ要求とすることができる。さらに、このハンドオーバ要求は、パケット交換ネットワークから回線交換ネットワークへの単一無線音声通話継続要求とすることができる。ハンドオーバを要求するステップは、例えばモビリティ管理エンティティ又はサービング汎用パケット無線サービスサポートノード又は移動通信交換局が行うことができ、識別は、例えば移動通信交換局に提供することができる。
【００８６】
或いは、ソースネットワークを回線交換ネットワークとし、ターゲットネットワークも回線交換ネットワークとすることができる。さらに、ネットワーク識別は、使用されている回線交換公衆陸上移動体ネットワークの識別（例えば、呼が最初に確立された時に使用される、又はパケット交換からパケット交換へのハンドオーバ後に使用される回線交換公衆陸上移動体ネットワークの識別）、又はソース回線交換公衆陸上移動体ネットワーク識別子を含むことができる。ハンドオーバ要求は、ネットワーク識別を含む回線交換ハンドオーバ要求とすることができる。さらに、このハンドオーバ要求は、１つの回線交換無線アクセス技術から別の回線交換無線アクセス技術への、又は１つの回線交換ネットワークから別の回線交換ネットワークへの回線交換ハンドオーバ要求とすることができる。また、ソースネットワークがハンドオーバを要求し、ターゲットネットワークに識別を提供することもできる。
【００８７】
この方法は、４２０において、ユーザ装置をソースネットワークからターゲットネットワークにハンドオーバする要求を受け取るステップと、４２５において、この要求をネットワーク識別と共に転送するステップとを含むこともできる。要求を転送するステップは、ソースネットワークからターゲットネットワークへのユーザ装置のハンドオーバを要求するステップと、以前にソースネットワークにおいて受け取ったネットワーク識別をターゲットネットワークに転送するステップとを含むことができる。
【００８８】
ソースネットワークは回線交換ネットワークとすることができ、ターゲットネットワークも回線交換ネットワークとすることができる。ネットワーク識別は、例えばパケット交換ネットワークからのソース公衆陸上移動体ネットワーク識別とすることができ、このネットワーク識別は、以前のパケット交換から回線交換へのハンドオーバ要求で受け取った可能性のある、以前のソースパケット交換ネットワークのネットワーク識別又は以前のソースパケット交換ネットワークのネットワーク識別子とすることができる。ハンドオーバ要求は、無線アクセス技術間ハンドオーバ要求又は無線アクセス技術内ハンドオーバ要求とすることができる。さらに、このハンドオーバ要求はネットワーク識別子を含むことができる。
【００８９】
或いは、このハンドオーバ要求を、ソース基地局コントローラ又はソース無線ネットワークコントローラから、ターゲット基地局コントローラ又はターゲット無線ネットワークコントローラに送信することもできる。ソースネットワークは回線交換ネットワークとすることができ、ターゲットネットワークも回線交換ネットワークとすることができる。ネットワーク識別は、回線交換ネットワークからのソース公衆陸上移動体ネットワーク識別とすることができ、このネットワーク識別は、以前の回線交換から回線交換へのハンドオーバ要求と共に受け取った可能性のある、以前のソース回線交換ネットワークのネットワーク識別又は以前のソース回線交換ネットワークのネットワーク識別子とすることもできる。
【００９０】
この方法は、４３０において、ソースネットワークからターゲットネットワークへのユーザ装置のハンドオーバ要求を受け取るステップを含むこともできる。この受け取るステップは、要求と共に含まれているネットワーク識別子を記録するステップを含むことができる。この方法は、４３１において、例えば上述のハンドオーバとは逆方向の、ソースネットワークからターゲットネットワークへのユーザ装置のハンドオーバを要求するステップをさらに含むことができる。この方法は、４３３において、以前に受け取ったネットワーク識別に基づいてターゲットネットワークを決定するステップを含むこともできる。
【００９１】
ソースネットワークは回線交換ネットワークとすることができ、ターゲットネットワークはパケット交換ネットワークとすることができる。ネットワーク識別は、パケット交換ネットワークからの（例えば、パケット交換ネットワークから受け取られた）ソース公衆陸上移動体ネットワーク識別、又はターゲット公衆陸上移動体ネットワーク識別子とすることができる。ハンドオーバ要求は、ネットワーク識別を含む、回線交換からパケット交換へのハンドオーバ要求とすることができる。例えば、このハンドオーバは、リバース単一無線音声通話継続ハンドオーバとすることができる。さらに、このハンドオーバ要求は、基地局コントローラ又は無線ネットワークコントローラから移動通信交換局に送信することができる。さらに、ネットワーク識別は、以前のパケット交換から回線交換へのハンドオーバ要求と共に受け取った識別とすることも、以前に使用したソースパケット交換公衆陸上移動体ネットワークのネットワーク識別とすることもできる。
【００９２】
さらに、この方法は、４３５において、ソースネットワークからターゲットネットワークへのユーザ装置のハンドオーバ要求を受け取るステップを含むことができる。この方法は、４３７において、ソースネットワークに対応するネットワーク識別をターゲットネットワークに転送するステップを含むこともできる。
【００９３】
ソースネットワークはパケット交換ネットワークとすることができ、ターゲットネットワークは回線交換ネットワークとすることができる。より具体的には、ネットワーク識別は、現在使用中のパケット交換公衆陸上移動体ネットワークの情報、又はソースパケット交換公衆陸上移動体ネットワーク識別子とすることができる。ハンドオーバ要求は、ネットワーク識別を含む、パケット交換から回線交換へのハンドオーバ要求とすることができる。このハンドオーバ要求は、リバース単一無線音声通話継続ハンドオーバ要求とすることができる。さらに、このハンドオーバ要求は、モビリティ管理エンティティ又はサービング汎用パケット無線サービスサポートノードから受け取って基地局コントローラ又は無線ネットワークコントローラに転送することができる。
【００９４】
図５Ａに、いくつかの実施形態によるシステムを示す。ある実施形態例では、このシステムは、ＭＭＥ５１０、ＭＳＣ５２０及びＢＳＣ／ＲＮＣ５３０などの複数の装置を含むことができる。これらの装置は、図２及び図３に示す装置などの、他の多くの使用できる装置の一例にすぎない。装置５１０、５２０及び５３０の各々は、少なくとも１つのプロセッサ（それぞれ５１４、５２４及び５３４）と、（コンピュータプログラム命令又はコードを有する）少なくとも１つのメモリ（それぞれ５１５、５２５及び５３５）と、トランシーバ（それぞれ５１６、５２６及び５３６）と、アンテナ（それぞれ５１７、５２７及び５３７）とを備えることができる。これらの装置の各々をこのように装備することは必須ではない。例えば、これらの装置のいずれもが無線通信設備を備える必要はなく、代わりに有線接続によって接続することもできる。
【００９５】
トランシーバ（それぞれ５１６、５２６及び５３６）は、送信機、受信機、送信機と受信機の両方、又は送信と受信を両方とも行うように構成されたユニットとすることができ、ネットワークインターフェイスカードを含むことができる。トランシーバ（それぞれ５１６、５２６及び５３６）は、対応する１又はそれ以上のアンテナ（それぞれ５１７、５２７及び５３７）に、或いはアンテナを使用しない場合には他の通信ハードウェアに結合することができる。
【００９６】
少なくとも１つのプロセッサ（それぞれ５１４、５２４及び５３４）は、中央処理装置（ＣＰＵ）又は特定用途向け集積回路（ＡＳＩＣ）などのいずれかの計算又はデータ処理装置によって様々に具体化することができる。少なくとも１つのプロセッサ（それぞれ５１４、５２４及び５３４）は、１又は複数のコントローラとして実装することができる。
【００９７】
少なくとも１つのメモリ（それぞれ５１５、５２５及び５３５）は、非一時的コンピュータ可読媒体などのいずれかの好適な記憶装置とすることができる。例えば、この少なくとも１つのメモリ（それぞれ５１５、５２５及び５３５）内で、ハードディスクドライブ（ＨＤＤ）又はランダムアクセスメモリ（ＲＡＭ）を使用することもできる。少なくとも１つのメモリ（それぞれ５１５、５２５及び５３５）は、対応する少なくとも１つのプロセッサ（それぞれ５１４、５２４及び５３４）と同じチップ上に存在することも、或いは対応する少なくとも１つのプロセッサ（それぞれ５１４、５２４及び５３４）から分離することもできる。
【００９８】
コンピュータプログラム命令は、いずれかの好適な形のコンピュータプログラムコードとすることができる。例えば、コンピュータプログラム命令は、コンパイラ型又はインタプリタ型のコンピュータプログラムとすることができる。
【００９９】
少なくとも１つのメモリ（それぞれ５１５、５２５及び５３５）及びコンピュータプログラム命令は、少なくとも１つのプロセッサ（それぞれ５１４、５２４及び５３４）を用いて、ハードウェア装置（例えば、ＭＭＥ５１０、ＭＳＣ５２０又はＢＳＣ／ＲＮＣ５３０）に本明細書で説明した処理（例えば、図３及び４を参照）のいずれかなどの処理を実行させるように構成することができる。
【０１００】
従って、いくつかの実施形態では、非一時的コンピュータ可読媒体に、ハードウェアで実行された時に本明細書で説明した処理の１つなどの処理を行うコンピュータ命令を符号化することができる。或いは、本発明のいくつかの実施形態を完全にハードウェアで実行することもできる。
【０１０１】
図５Ｂに、いくつかの実施形態によるシステムを示す。ある実施形態例では、このシステムは、例えばＭＭＥ５１０、ＭＳＣ５２０及びＢＳＣ／ＲＮＣ５３０などの複数の装置を含むことができる。これらの装置は、図２及び図３に示す装置などの、他の多くの使用できる装置の一例にすぎない。
【０１０２】
例えば、ＭＭＥ５１０及びＭＳＣ５２０の各々は、ソースネットワークからターゲットネットワークへのユーザ装置のハンドオーバを要求するための要求手段（それぞれ５１１及び５２１）と、ハンドオーバを要求しながら、ソースネットワークに対応するネットワーク識別を提供するための提供手段（それぞれ５１３及び５２３）とを含むことができる。同様に、ＢＳＣ／ＲＮＣは、ソースネットワークからターゲットネットワークへのユーザ装置のハンドオーバを要求するための要求手段５３１と、以前に受け取ったネットワーク識別に基づいてターゲットネットワークを決定するための決定手段５３３とを含むことができる。
【０１０３】
ＭＳＣ５２０及びＢＳＣ／ＲＮＣ５３０は、ソースネットワークにおいて以前に受け取ったネットワーク識別をターゲットネットワークに転送するための転送手段（それぞれ５２８及び５３８）を含むこともできる。ＭＳＣ５２０は、ソースネットワークからターゲットネットワークへのユーザ装置のハンドオーバ要求を受け取るための受信手段５２９を含むこともできる。
【０１０４】
図５Ｂに示す手段は、例えばハードウェア単独、及びハードウェア上で実行されるソフトウェアなど、様々に実装することができる。上述した図５Ａに示すものは、これらの実装例の１つである。
【０１０５】
当業者であれば、上述したような本発明を、異なる順序のステップ及び／又は開示したものとは異なる構成のハードウェア要素を用いて実施することもできると容易に理解するであろう。従って、これらの好ましい実施形態に基づいて本発明を説明したが、当業者には、本発明の思想及び範囲から逸脱することなく特定の修正例、変形例及び代替例が明らかになるであろう。従って、本発明の範囲を決定するには、添付の特許請求の範囲を参照されたい。
【図２】
2015513289.tif 000003
【図３Ａ】
2015513289.tif 000004
【図３Ｂ】
2015513289.tif 000005
【図４】
2015513289.tif 000006
【図５Ａ】
2015513289.tif 000007
【図５Ｂ】
2015513289.tif 000008
【図１】
2015513289.tif 000009
【手続補正書】
【提出日】平成26年10月9日(2014.10.9)
【手続補正１】
【補正対象書類名】特許請求の範囲
【補正対象項目名】全文
【補正方法】変更
【補正の内容】
【特許請求の範囲】
【請求項１】
ソースネットワークからターゲットネットワークへのユーザ装置のハンドオーバを要求するステップと、
前記ハンドオーバを要求しながら、前記ソースネットワークに対応するネットワーク識別を提供するステップと、
を含むことを特徴とする方法。
【請求項２】
前記ソースネットワークはパケット交換ネットワークを含み、前記ターゲットネットワークは回線交換ネットワークを含む、
ことを特徴とする請求項１に記載の方法。
【請求項３】
前記ハンドオーバ要求は、
前記ネットワーク識別を含む、パケット交換から回線交換へのハンドオーバ要求と、
パケット交換ネットワークから回線交換ネットワークへの単一無線音声通話継続要求と、
のうちの少なくとも一方を含むことを特徴とする請求項１又は２に記載の方法。
【請求項４】
前記ハンドオーバは、前記ソースネットワークによって要求され、前記識別は、前記ターゲットネットワークに提供される、
ことを特徴とする請求項１から３のいずれか１項に記載の方法。
【請求項５】
ソースネットワークからターゲットネットワークへのユーザ装置のハンドオーバを要求するステップと、
受け取ったネットワーク識別に基づいて前記ターゲットネットワークを決定するステップと、
を含むことを特徴とする方法。
【請求項６】
前記ソースネットワークは回線交換ネットワークを含み、前記ターゲットネットワークはパケット交換ネットワークを含む、
ことを特徴とする請求項５に記載の方法。
【請求項７】
前記ハンドオーバ要求は、前記ネットワーク識別を含む、回線交換からパケット交換へのハンドオーバ要求、又はリバース単一無線音声通話継続ハンドオーバである、
ことを特徴とする請求項５又は６に記載の方法。
【請求項８】
前記ネットワーク識別は、パケット交換から回線交換へのハンドオーバ要求と共に受け取った、使用されるソースパケット交換公衆陸上移動体ネットワークのネットワーク識別である、
ことを特徴とする請求項５から７のいずれか１項に記載の方法。
【請求項９】
ソースネットワークからターゲットネットワークへのユーザ装置のハンドオーバを要求するステップと、
前記ソースネットワークにおいて受け取ったネットワーク識別を前記ターゲットネットワークに転送するステップと、
を含むことを特徴とする方法。
【請求項１０】
前記ソースネットワークは回線交換ネットワークを含み、前記ターゲットネットワークは回線交換ネットワークを含む、
ことを特徴とする請求項９に記載の方法。
【請求項１１】
前記ネットワーク識別は、パケット交換ネットワークからのソース公衆陸上移動体ネットワーク識別を含み、該ソース公衆陸上移動体ネットワーク識別は、パケット交換から回線交換へのハンドオーバ要求と共に受け取った、前記ソースパケット交換ネットワークのネットワーク識別又は前記ソースパケット交換ネットワークのネットワーク識別子である、
ことを特徴とする請求項９又は１０に記載の方法。
【請求項１２】
ソースネットワークからターゲットネットワークへのユーザ装置のハンドオーバ要求を受け取るステップと、
前記ソースネットワークに対応するネットワーク識別を前記ターゲットネットワークに転送するステップと、
を含むことを特徴とする方法。
【請求項１３】
前記ソースネットワークはパケット交換ネットワークを含み、前記ターゲットネットワークは回線交換ネットワークを含む、
ことを特徴とする請求項１２に記載の方法。
【請求項１４】
前記ハンドオーバ要求は、単一無線音声通話継続ハンドオーバ要求を含む、
ことを特徴とする請求項１２又は１３に記載の方法。
【請求項１５】
ハードウェアで実行された時に請求項１から１４のいずれか１項に記載の方法を含む処理を行う命令を符号化された、
ことを特徴とする非一時的コンピュータ可読媒体。
【請求項１６】
ソースネットワークからターゲットネットワークへのユーザ装置のハンドオーバを要求するための要求手段と、
前記ハンドオーバを要求しながら、前記ソースネットワークに対応するネットワーク識別を提供するための提供手段と、
を備えることを特徴とする装置。
【請求項１７】
前記ソースネットワークはパケット交換ネットワークを含み、前記ターゲットネットワークは回線交換ネットワークを含む、
ことを特徴とする請求項１６に記載の装置。
【請求項１８】
前記ハンドオーバ要求は、
前記ネットワーク識別を含む、パケット交換から回線交換へのハンドオーバ要求と、
パケット交換ネットワークから回線交換ネットワークへの単一無線音声通話継続要求と、
のうちの少なくとも一方を含むことを特徴とする請求項１６又は１７に記載の装置。
【請求項１９】
前記ハンドオーバは、前記ソースネットワークによって要求され、前記識別は、前記ターゲットネットワークに提供される、
ことを特徴とする請求項１６から１８のいずれか１項に記載の装置。
【請求項２０】
前記装置は、モビリティ管理エンティティ又は移動通信交換局を含む、
ことを特徴とする請求項１６から１９のいずれか１項に記載の装置。
【請求項２１】
ソースネットワークからターゲットネットワークへのユーザ装置のハンドオーバを要求するための要求手段と、
受け取ったネットワーク識別に基づいて前記ターゲットネットワークを決定するための決定手段と、
を備えることを特徴とする装置。
【請求項２２】
前記ソースネットワークは回線交換ネットワークを含み、前記ターゲットネットワークはパケット交換ネットワークを含む、
ことを特徴とする請求項２１に記載の装置。
【請求項２３】
前記ハンドオーバ要求は、前記ネットワーク識別を含む、回線交換からパケット交換へのハンドオーバ要求、又はリバース単一無線音声通話継続ハンドオーバである、
ことを特徴とする請求項２１又は２２に記載の装置。
【請求項２４】
前記ネットワーク識別は、パケット交換から回線交換へのハンドオーバ要求と共に受け取った、使用されるソースパケット交換公衆陸上移動体ネットワークのネットワーク識別である、
ことを特徴とする請求項２１から２３のいずれか１項に記載の装置。
【請求項２５】
前記装置は、基地局コントローラ又は無線ネットワークコントローラを含む、
ことを特徴とする請求項２１から２４のいずれか１項に記載の装置。
【請求項２６】
ソースネットワークからターゲットネットワークへのユーザ装置のハンドオーバを要求するための要求手段と、
前記ソースネットワークにおいて受け取ったネットワーク識別を前記ターゲットネットワークに転送するための転送手段と、
を備えることを特徴とする装置。
【請求項２７】
前記ソースネットワークは回線交換ネットワークを含み、前記ターゲットネットワークは回線交換ネットワークを含む、
ことを特徴とする請求項２６に記載の装置。
【請求項２８】
前記ネットワーク識別は、パケット交換ネットワークからのソース公衆陸上移動体ネットワーク識別を含み、該ソース公衆陸上移動体ネットワーク識別は、パケット交換から回線交換へのハンドオーバ要求と共に受け取った、前記ソースパケット交換ネットワークのネットワーク識別又は前記ソースパケット交換ネットワークのネットワーク識別子である、
ことを特徴とする請求項２６又は２７に記載の装置。
【請求項２９】
前記装置は、基地局コントローラ、無線ネットワークコントローラ又は移動通信交換局を含む、
ことを特徴とする請求項２６から２８のいずれか１項に記載の装置。
【請求項３０】
ソースネットワークからターゲットネットワークへのユーザ装置のハンドオーバ要求を受け取るための受信手段と、
前記ソースネットワークに対応するネットワーク識別を前記ターゲットネットワークに転送するための転送手段と、
を備えることを特徴とする装置。
【請求項３１】
前記ソースネットワークはパケット交換ネットワークを含み、前記ターゲットネットワークは回線交換ネットワークを含む、
ことを特徴とする請求項３０に記載の装置。
【請求項３２】
前記ハンドオーバ要求は、単一無線音声通話継続ハンドオーバ要求を含む、
ことを特徴とする請求項３０又は３１に記載の装置。
【請求項３３】
前記装置は、移動通信交換局を含む、
ことを特徴とする請求項３０から３２のいずれか１項に記載の装置。
【請求項３４】
第１のソースネットワークから第１のターゲットネットワークへのユーザ装置の第１のハンドオーバを要求するための要求手段と、前記ハンドオーバを要求しながら、前記第１のソースネットワークに対応するネットワーク識別を提供するための提供手段とを備えた第１の装置と、
前記第１のターゲットネットワークに対応する第２のソースネットワークから第２のターゲットネットワークへの前記ユーザ装置のハンドオーバを要求するための要求手段と、前記ソースネットワークにおいて前記第１の装置から受け取った前記ネットワーク識別を前記ターゲットネットワークに転送するための転送手段とを備えた第２の装置と、
前記第２のソースネットワークから前記第２のターゲットネットワークへの前記ユーザ装置の前記ハンドオーバ要求を前記第２の装置から受け取るための受信手段と、前記ソースネットワークに対応する前記ネットワーク識別を前記ターゲットネットワークに転送するための転送手段とを備えた第３の装置と、
前記第２のターゲットネットワークに対応する第３のソースネットワークから第３のターゲットネットワークへの前記ユーザ装置のハンドオーバを要求するための要求手段と、前記受け取ったネットワーク識別に基づいて前記第３のターゲットネットワークを決定するための決定手段とを備えた第４の装置と、
を備えることを特徴とするシステム。
【国際調査報告】
2015513289.tif 000010
2015513289.tif 000011
2015513289.tif 000012